(57)【要約】【課題】放熱性に優れたスライド用レールを提供する。【解決手段】貯湯タンクやすすぎポンプが配設された支持台が、一対のスライド用レール３４，３４にスライド可能に載架される。このスライド用レール３４のレール本体３８は、支持台がスライドするスライド面部４０と、該スライド面部４０の裏面側に一体形成された側板部４２および複数の放熱板４４から構成され、該側板部４２と放熱板４４とから放熱面部４６が形成される。この放熱面部４６を形成したことにより、スライド用レール３４の表面積が大きくなり、空気との熱交換を促し、該スライド用レール３４に蓄積した熱を空気中に効率的に放出することができる。【選択図】　図１
2004049308.tif 000002
【特許請求の範囲】
【請求項１】
筐体（１２）に内部画成した機械室（２４）に収納される各種昇温機器（３０，３２）をスライド可能に支持するスライド用レール（３４）であって、
前記昇温機器（３０，３２）がスライドするスライド面部（４０）の裏側に、複数の放熱板（４４，５０，５２）を一体に形成した
ことを特徴とするスライド用レール。
【発明の詳細な説明】
【０００１】
【発明の属する技術分野】
この発明は、筐体に内部画成した機械室に収納される各種昇温機器をスライド可能に支持するスライド用レールに関するものである。
【０００２】
【従来の技術】
飲食に供した後の皿、茶碗、コップ等の食器を自動的に洗浄するための食器洗浄機が、喫茶店やレストラン等の厨房、更には一般家庭にも設置されて、広く好適に使用されるに至っている。この食器洗浄機は、洗浄槽の内部に洗浄ノズルおよびすすぎノズルを備え、該ノズルから噴射される洗浄水やすすぎ用の湯により洗浄槽に収納した食器の洗浄およびすすぎを行なうよう構成される。また食器洗浄機における洗浄槽の下方には機械室が画成され、該機械室にすすぎ用の湯を貯める貯湯タンクや、すすぎ用の湯をすすぎノズルに供給するためのすすぎポンプ等の各種昇温機器が配置されている。
【０００３】
前記食器洗浄機、殊に高さ寸法に制約のあるアンダーカウンタータイプ等では、前記機械室が狭くなり、前記貯湯タンクやすすぎポンプ等のように洗浄機の運転により温度上昇する各種昇温機器の修理や部品交換等のメンテナンス時における作業性が劣る難点があった。そこで、機械室を画成する底板にスライド用レールを配設し、該レールに対して各種昇温機器を配設した支持台をスライド可能に載架することで、メンテナンスに際しては各種昇温機器を機械室から引き出し、外部の広い場所で作業を行ない得るようにした構成が採用されている。
【０００４】
【発明が解決しようとする課題】
前記貯湯タンクに貯留されているすすぎ用の湯は、約８０℃から９０℃の高温に加熱されてすすぎに使用されているため、その高温のすすぎ用の湯により加熱された貯湯タンクの熱が、前記支持台を介して前記スライド用レールに伝導し、該スライド用レールも加熱されてしまう。しかし図５に示すように、従来のスライド用レール１は、合成樹脂材料を切削して略長方形のブロック状に形成されているため表面積が小さく、周囲の空気との接触面積が少なく放熱しにくい形状であり、スライド用レール１自体に蓄熱し易かった。このようにスライド用レール１が蓄熱すると、合成樹脂製である該スライド用レール１は、その熱により、曲がり等の変形や物性の低下により脆くなり、破損の原因となっていた。そこで、高温に耐え得るように、耐熱性の高い材料を用いる必要を生ずるが、この場合は材料コストが高くなる欠点を招く。なお、耐熱性を高めたとしても、スライド用レール１自体が放熱しにくい形状であることに変わりなく、従ってスライド用レール１の熱が前記底板に伝導し、該底板に近接して配設された機外の配管やその他機外部材が、その熱により曲がり等の変形や物性の低下により脆くなる等の熱影響を受ける難点も指摘される。
【０００５】
【発明の目的】
この発明は、従来の技術に内在している前記問題に鑑み、これを好適に解決するべく提案されたものであって、放熱性に優れたスライド用レールを提供することを目的とする。
【０００６】
【課題を解決するための手段】
前記課題を克服し、所定の目的を達成するため本発明は、
筐体に内部画成した機械室に収納される各種昇温機器をスライド可能に支持するスライド用レールであって、
前記昇温機器がスライドするスライド面部の裏側に、複数の放熱板を一体に形成したことを特徴とする。
【０００７】
【発明の実施の形態】
次に、本発明に係るスライド用レールにつき、好適な実施例を挙げて、添付図面を参照しながら説明する。本実施例では、スライド用レールを食器洗浄機の機械室に配設する場合で説明する。なお、本明細書で「昇温機器」とは、それ自体の作動により加熱して温度上昇するものや、他の媒体により間接的に加熱されて温度上昇するものを含む意味で使用されるものである。
【０００８】
図２および図３に示す如く、実施例に係る食器洗浄機１０の本体をなす筐体１２は、レール取付部としての底板１４の４隅に立設した支柱１６の上端に上面パネル１８を配設すると共に、左右側面および背面側に各パネル２０（一方の側面パネルのみ図示）を夫々配設することで、前方に開放する箱型に構成されている。そして、この筐体１２の内部上方に洗浄槽２２が画成されると共に、内部下方に機械室２４が画成される。筐体１２の前部には、洗浄槽２２に対応する上部位置に開閉扉２６が開閉可能に配設され、該開閉扉２６により上部開口１２ａを開放することで、洗浄槽２２に対する食器の出し入れが行なわれるようになっている。また洗浄槽２２の内部には、洗浄ノズルやすすぎノズル（何れも図示せず）が配設され、各ノズルから噴射される洗浄水やすすぎ用の湯により洗浄槽２２に収納した食器を洗浄するよう構成される。
【０００９】
前記筐体１２における機械室２４に対応する前部下方にフロントパネル２８が着脱可能に配設されており、該フロントパネル２８を取外すことで開放される下部開口１２ｂを介して、機械室２４に配設される貯湯タンク３０やすすぎポンプ３２等の各種昇温機器を外部に引き出し得るようになっている。前記底板１４の内底面には、図３に示す如く、前後方向に所定長さで延在する一対のスライド用レール３４，３４が、左右方向に離間して平行の関係で着脱可能に配設されている。そして、両スライド用レール３４，３４に対して、前記貯湯タンク３０やすすぎポンプ３２等が配設された支持台３６が前後方向にスライド可能に載架されている。
【００１０】
前記スライド用レール３４は、図１および図３に示すように、底板１４の前後方向に長尺な略長方形状に形成した合成樹脂成型品である。このスライド用レール３４のレール本体３８は、平滑なスライド面部４０と、このスライド面部４０の外周縁から下方（裏側）に延出する側板部４２とから、下方（一方の長端面）が開口する箱状に形成される。そして、レール本体３８のスライド面部４０に、前記支持台３６が載架されて前後方向にスライド可能となっている。また、スライド面部４０の下面側（裏面側）には、その短手方向に延在する複数の放熱板４４が、長手方向に離間して一体に形成してある。該放熱板４４は、側板部４２と略同一高さに設定され、該側板部４２と共に放熱面部４６を構成している。そして、レール本体３８は、前記放熱面部４６を底板１４に対向して配置され、スライド面部４０に支持台３６が載架された際に、該支持台３６が底板１４より所要の高さだけ離間するようになっている。前記レール本体３８におけるスライド面部４０の下面側には、その長手方向に離間して複数の係合爪４８が一体に形成されており、前記底板１４に開設された対応する係合孔（図示せず）に該係止爪４８を係合することで、スライド用レール３４が該底板１４に固定されるよう構成される。
【００１１】
【実施例の作用】
次に、実施例に係るスライド用レールの作用につき、以下説明する。各スライド用レール３４は、スライド面部４０が上方を向くように放熱面部４６を底板１４に対向した姿勢で、レール本体３８に形成されている前記各係止爪４８を底板１４に開設された対応する係合孔に夫々係合することで固定される。前記底板１４に取付けられた一対のスライド用レール３４，３４に、前記貯湯タンク３０およびすすぎポンプ３２を配設した支持台３６を載架する。この支持台３６は、一対のスライド用レール３４，３４に対して前後方向にスライド可能に構成されているから、貯湯タンク３０やすすぎポンプ３２のメンテナンスに際しては、前記フロントパネル２８を筐体１２から取外して下部開口１２ｂを開放したもとで、支持台３６を前方にスライドさせれば、貯湯タンク３０やすすぎポンプ３２は筐体１２の外部に引き出され、広い場所でメンテナンスを行なうことができる。
【００１２】
前記食器洗浄機１０の運転に際し、高温のすすぎ用の湯が貯留されている前記貯湯タンク３０からの熱が前記スライド用レール３４に伝導して、該スライド用レール３４が加熱される。この場合に実施例のスライド用レール３４は、前記放熱板４４と側板部４２とにより空気との接触面積を大きく稼いでいるので、熱はレール本体３８に蓄積することなく、放熱板４４、側板部４２およびスライド面部４０の空気に接している面より空気中に効率的に放熱される。従って、スライド用レール３４が熱によって変形したり物性の低下を来たすのを抑制することができ、耐久性が向上する。しかも、コストの高い材料を用いることなく耐久性を向上し得るから、材料コストを低廉に抑えることができる。なお、スライド用レール３４から底板１４への熱伝導を少なくし得るから、機外部材への熱影響を抑制し得る。
【００１３】
【別実施例】
図４は、別実施例に係るスライド用レールを示すものであって、その基本的な構成は前記実施例と同じであるので、異なる部分についてのみ説明し、同一部材には同じ符号を付すものとする。図４（ａ）に示すスライド用レール３４は、前記放熱板４４に加えて、前記スライド面部４０の下面側における短手方向の中央に、その長手方向に延在する放熱板５０を一体に形成して、放熱面積を稼ぐよう構成している。また図４（ｂ）に示すスライド用レール３４では、長手方向に延在する側板部４２の一部を切り欠いて短手方向の両側が開設する複数のスリットを設けるように複数の放熱板５２を一体に形成してある。すなわち、図４に示す何れの別実施例においても、スライド用レール３４の放熱面積は大きく、前記実施例と同様の作用を奏する。なお図４（ｂ）に示すように、短手方向に開放するスリット構造の場合は、スリットを空気が流れることにより放熱板５２の表面での熱交換作用が高まり、放熱効率が向上する。
【００１４】
【変更例】
実施例や別実施例では、スライド用レールを食器洗浄機に配設する場合で説明したが、その他、冷蔵庫や冷凍庫等、装置自体のコンパクト化や寸法の制約により機械室が狭くなる機械装置に配設されるレールとして採用し得る。なお、冷蔵庫や冷凍庫等では、圧縮機や凝縮器等が昇温機器となる。また、実施例では機械室の底板にスライド用レールを配設したが、該レールが配設される箇所は、底板に限らず機械室を画成する側板、背板あるいは天板等に配設されるものであってもよい。更に、実施例では昇温機器を配設した支持台をスライド用レールに載架したが、昇温機器自体をスライド用レールにスライド可能に配設するものであってもよい。
【００１５】
【発明の効果】
以上に述べた如く、本発明に係るスライド用レールによれば、昇温機器がスライドするスライド面部の裏側に複数の放熱板を一体形成したから、レール自体の放熱効率が向上し、昇温機器から伝導した熱により、当該スライド用レールが変形したり物性が低下するのを抑制することができる。また、耐熱性の高い材料を使う必要がなく、材料コストを低廉に抑えることができる。
【図面の簡単な説明】
【図１】本発明の好適な実施例に係るスライド用レールを示すものであり、（ａ）は平面図、（ｂ）は側断面図、（ｃ）は平断面図である。
【図２】実施例に係るスライド用レールが配設される食器洗浄機の概略斜視図である。
【図３】実施例に係る食器洗浄機から各パネルを取外した状態で、各種昇温機器を機械室から取外した状態で示す概略斜視図である。
【図４】別実施例に係る２種類のスライド用レールの平断面図である。
【図５】従来の技術に係るスライド用レールの平面図および側面図である。
【符号の説明】
１２　筐体，２４　機械室，３０　貯湯タンク（昇温機器）
３２　すすぎポンプ（昇温機器），３４　スライド用レール
４０　スライド面部，４４　放熱板，５０　放熱板，５２　放熱板
【図１】
2004049308.tif 000003
【図２】
2004049308.tif 000004
【図３】
2004049308.tif 000005
【図４】
2004049308.tif 000006
【図５】
2004049308.tif 000007